【手続補正書】
【提出日】平成31年1月11日(2019.1.11)
【手続補正１】
【補正対象書類名】明細書
【補正対象項目名】０００７
【補正方法】変更
【補正の内容】
【０００７】
これまで、音響波および電磁波は以下の方法で空間収束されてきた。１）伝達要素の表面を特定形状に構成し、例えば音波を１点に収束させる凹状面を伴うよう音響トランスデューサを製作する。２）波を屈折させ若しくは反射する要素、例えばレンズまたは鏡を組み込んで、望ましい位置またはパターンに波を収束させる。３）複数の伝達源を異なる位置で使って、望ましいパターンの波場を生じる干渉パターンを生成する。４）複数の伝達源をアレイとして使用し、各伝達源から伝達される波の位相を変化させて、フェーズドアレイ撮像のように焦点を操作できる波場を生成する。利便性を高め煩雑さを軽減した方法を使った、より精確で効果的な電磁波の焦点合わせが必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１４／００１１２４０号明細書
（特許文献２）  米国特許第６，２４６，８９５号明細書
（特許文献３）  米国特許出願公開第２０１０／０１３９３７７号明細書
（特許文献４）  米国特許出願公開第２０１２／０１４１５５２号明細書
（特許文献５）  米国特許出願公開第２０１５／０１６５０９１号明細書
（特許文献６）  米国特許出願公開第２０１５／０２１０９７９号明細書
（非特許文献）
（非特許文献１）  ＬＥＶ  ＯＳＴＲＯＶＳＫＹ，  "Ｃｏｎｃｅｎｔｒａｔｉｏｎ  ｏｆ  ｍｉｃｒｏｐａｒｔｉｃｌｅｓ  ａｎｄ  ｂｕｂｂｌｅｓ  ｉｎ  ｓｔａｎｄｉｎｇ  ｗａｖｅｓ"，  Ｊｏｕｒｎａｌ  Ａｃｏｕｓｔｉｃａｌ  Ｓｏｃｉｅｔｙ  ｏｆ  Ａｍｅｒｉｃａ，  １３８  （６），  Ｄｅｃｅｍｂｅｒ  ２０１５，  ｐｐ  ３６０７−３６１２
（非特許文献２）  ＫＥＬＬＥＹ  Ａ．  ＧＡＲＶＩＮ  ｅｔ  ａｌ．，  "Ｃｏｎｔｒｏｌｌｉｎｇ  ｃｏｌｌａｇｅｎ  ｆｉｂｅｒ  ｍｉｃｒｏｓｔｒｕｃｔｕｒｅ  ｉｎ  ｔｈｒｅｅ−ｄｉｍｅｎｓｉｏｎａｌ  ｈｙｄｒｏｇｅｌｓ  ｕｓｉｎｇ  ｕｌｔｒａｓｏｕｎｄ"，  Ｊｏｕｒｎａｌ  ｏｆ  Ａｃｏｕｓｔｉｃａｌ  Ｓｏｃｉｅｔｙ  ｏｆ  Ａｍｅｒｉｃａ，  Ｖｏｌ．  １３４，    Ｎｏ．  ２，    Ｐｔ  ２，  Ａｕｇｕｓｔ  ２０１３，  ｐｐ  １４９１−１５０２
（非特許文献３）  ＴＩＭＯＴＨＹ  Ｅ．  ＤＯＹＬＥ  ｅｔ  ａｌ．，  "Ｈｉｇｈ−ｆｒｅｑｕｅｎｃｙ  ｕｌｔｒａｓｏｕｎｄ  ｆｏｒ  ｉｎｔｒａｏｐｅｒａｔｉｖｅ    ｍａｒｇｉｎ  ａｓｓｅｓｓｍｅｎｔｓ  ｉｎ  ｂｒｅａｓｔ  ｃｏｎｓｅｒｖａｔｉｏｎ  ｓｕｒｇｅｒｙ：  ａ  ｆｅａｓｉｂｉｌｉｔｙ  ｓｔｕｄｙ"，  ＢｉｏＭｅｄ  Ｃｅｎｔｒａｌ，  ｈｔｔｐ：／／ｗｗｗ．ｂｉｏｍｅｄｃｅｎｔｒａｏｌ．ｃｏｍ／１４７−２４０７／１１／４４４，  ２０１１，  １５  ｐａｇｅｓ
（非特許文献４）  ＴＩＭＯＴＨＹ  Ｅ．  ＤＯＹＬＥ  ｅｔ  ａｌ．，  "Ｈｉｓｔｏｌｏｇｙ−ｂａｓｅｄ  ｓｉｍｕｌａｔｉｏｎｓ  ｆｏｒ  ｔｈｅ  ｕｌｔｒａｓｏｎｉｃ  ｄｅｔｅｃｔｉｏｎ  ｏｆ  ｍｉｃｒｏｓｃｏｐｉｃ  ｃａｎｃｅｒ  ｉｎ  ｖｉｖｏ"，  ＪＡＳＡ  Ｅｘｐｒｅｓｓ  Ｌｅｔｔｅｒｓ，  Ｊｏｕｒｎａｌ  ｏｆ  Ａｃｏｕｓｔｉｃａｌ  Ｓｏｃｉｅｔｙ  ｏｆ  Ａｍｅｒｉｃａ，  Ｖｏｌ．  １２２，    Ｎｏ．  ６，  Ｄｅｃｅｍｂｅｒ  ２００７，  ｐｐ  ＥＬ２１０−ＥＬ２１６
（非特許文献５）  ＴＩＭＯＴＨＹ  Ｅ．  ＤＯＹＬＥ  ｅｔ  ａｌ．，  "Ｍｏｄｅｌｉｎｇ  ｔｈｅ  Ｐｅｒｍｉｔｔｉｖｉｔｙ  ｏｆ  Ｔｗｏ−Ｐｈａｓｅ  Ｍｅｄｉａ  Ｃｏｎｔａｉｎｉｎｇ  Ｍｏｎｏｄｉｓｐｅｒｓｅ  Ｓｐｈｅｒｅｓ：  Ｅｆｆｅｃｔｓ  ｏｆ  Ｍｉｃｒｏｓｔｒｕｃｔｕｒｅ  ａｎｄ  Ｍｕｌｔｉｐｌｅ  Ｓｃａｔｔｅｒｉｎｇ"，  Ｕｔａｈ  Ｓｔａｔｅ  Ｕｎｉｖｅｒｓｉｔｙ  ＤｉｇｉａｌＣｏｍｍｏｎｓ＠ＵＳＵ，  Ｔｈｅ  Ａｍｅｒｉｃａｎ  Ｐｈｙｓｉｃａｌ  Ｓｏｃｉｅｔｙ，  Ａｕｇｕｓｔ  ７，  ２００７，  ｐｐ  ０５４２０３−１  −  ０５４２０３−１４
（非特許文献６）  ＫＡＩ  ＦＥＮＧ  ｅｔ  ａｌ．，  "Ｎｕｍｅｒｉｃａｌ  ａｎａｌｙｓｉｓ  ｏｆ  ｔｈｅ  ｔｒａｎｓｐｏｒｔａｔｉｏｎ  ｃｈａｒａｃｔｅｒｉｓｔｉｃｓ  ｏｆ  ａ  ｓｅｌｆ−ｒｕｎｎｉｎｇ  ｓｌｉｄｉｎｇ  ｓｔａｇｅ  ｂａｓｅｄ  ｏｎ  ｎｅａｒ−ｆｉｅｌｄ  ａｃｏｕｓｔｉｃ  ｌｅｖｉｔａｔｉｏｎ"，  Ｊｏｕｒｎａｌ  Ａｃｏｕｓｔｉｃａｌ  Ｓｏｃｉｅｔｙ  ｏｆ  Ａｍｅｒｉｃａ，  １３８  （６），  Ｄｅｃｅｍｂｅｒ  ２０１５，  ｐｐ  ３７２３−３７３２
（非特許文献７）  "ＣＡＲＲＩＥ  ＰＯＰＰＹ，  Ｐｈｙｓｉｃｉｓｔｓ  Ｕｓｅ  Ｓｏｕｏｎｄ  ｔｏ  Ｌｅｖｉｔａｔｅ  Ｃｅｌｌｓ  ａｎｄ  Ｃｈｅｃｋ  ｆｏｒ  Ｃａｎｃｅｒ"，  Ｔｅｃｈ  Ｔｉｍｅｓ，  ｈｔｔｐ：／／ｗｗｗ．ｔｅｃｈｔｉｍｅｓ．ｃｏｍ／ａｒｔｉｃｌｅｓ／１０４９４８／２０１５１１１０／ｐｈｙｓｉｃｉｓｔｓ−ｕｓｅ−ｓｏｕｎｄ−ｌｅｖｉｔａｔｅ−ｃｅｌｌｓ−ｃｈｅｃｋ−ｃａｎｃｅｒ．ｈｔｍ，  Ｎｏｖｅｍｂｅｒ  １０，  ２０１５
（非特許文献８）  "Ｓｏｕｎｄ  Ｗａｖｅｓ  Ｌｅｖｉｔａｔｅ  Ｃｅｌｌｓ  （ａｃｏｕｓｔｉｃ  ｌｅｖｉｔａｔｉｏｎ）  ｔｏ  Ｄｅｔｅｃｔ  Ｓｔｉｆｆｎｅｓｓ  Ｃｈａｎｇｅｓ  Ｔｈａｔ  Ｃｏｕｌｄ  Ｓｉｇｎａｌ  Ｄｉｓｅａｓｅ"，  Ｉｎｎｏｖａｔｉｏｎ  Ｔｏｒｏｎｔｏ，  ｈｔｔｐ：／／ｗｗｗ．ｉｎｎｏｖａｔｉｏｎｔｏｒｏｎｔｏ．ｃｏｍ／２０１５／１１／ｓｏｕｎｄ−ｗａｖｅｓ−ｌｅｖｉｔａｔｅ−ｃｅｌｌｓ−ａｃｏｕｓｔｉｃ−ｌｅｖｉｔａｔｉｏｎ−ｔｏ−ｄｅｔｅｃｔ−ｓｔｉｆｆｎｅｓｓ−ｃｈａｎｇｅｓ−ｔｈａｔ−ｃｏｕｌｄ−ｓｉｇｎａｌ−ｄｉｓｅａｓｅ／，  Ｎｏｖｅｍｂｅｒ  ６，  ２０１５
（非特許文献９）  "Ｓｏｕｎｄ  Ｗａｖｅｓ  Ｌｅｖｉｔａｔｅ  Ｃｅｌｌｓ  ｔｏ  Ｄｅｔｅｃｔ  Ｓｔｉｆｆｎｅｓｓ  Ｃｈａｎｇｅｓ  Ｔｈａｔ  Ｃｏｕｌｄ  Ｓｉｇｎａｌ  Ｄｉｓｅａｓｅ"，  Ｗｉｓｅ，  ｗｗｗ．ｎｅｗｓｗｉｓｅ．ｃｏｍ／ａｒｔｉｃｌｅｓ／ｓｏｕｎｄ−ｗａｖｅｓ−ｌｅｖｉｔａｔｅ−ｃｅｌｌｓ−ｔｏ−ｄｅｔｅｃｔ−ｓｔｉｆｆｎｅｓｓ−ｃｈａｎｇｅｓ−ｔｈａｔ−ｃｏｕｌｄ−ｓｉｇｎａｌ−ｄｉｓｅａｓｅ，  Ｎｏｖｅｍｂｅｒ  ４，  ２０１５
（非特許文献１０）  "Ｓｏｕｎｄ  Ｗａｖｅｓ  Ｌｅｖｉｔａｔｅ  Ｃｅｌｌｓ  ｔｏ  Ｄｅｔｅｃｔ  Ｓｔｉｆｆｎｅｓｓ  Ｃｈａｎｇｅｓ  Ｔｈａｔ  Ｃｏｕｌｄ  Ｓｉｇｎａｌ  Ｄｉｓｅａｓｅ"，  Ｐｈｙｓ．Ｏｒｇ，  ｈｔｔｐ：／／ｐｈｙｓ．ｏｒｇ／ｐｒｉｎｔ３６５８６３４２．ｈｔｍｌ，  Ｎｏｖｅｍｂｅｒ  ４，  ２０１５
（非特許文献１１）  "Ｓｏｕｎｄ  Ｗａｖｅｓ  Ｌｅｖｉｔａｔｅ  Ｃｅｌｌｓ  ｔｏ  Ｄｅｔｅｃｔ  Ｓｔｉｆｆｎｅｓｓ  Ｃｈａｎｇｅｓ  Ｔｈａｔ  Ｃｏｕｌｄ  Ｓｉｇｎａｌ  Ｄｉｓｅａｓｅ"，  ＳｃｉｅｎｃｅＤａｉｌｙ，  ｈｔｔｐｓ：／／ｗｗｗ．ｓｃｉｅｎｃｅｄａｉｌｙ．ｃｏｍ／ｒｅｌｅａｓｅｓ／２０１５／１１／１５１１０４１５１０１２．ｈｔｍ，    Ｎｏｖｅｍｂｅｒ  ４，  ２０１５
（非特許文献１２）  ＫＥＬＬＥＹ  Ａ．  ＧＡＲＶＩＮ  ｅｔ  ａｌ．，  "Ｓｐａｔｉａｌ  ｐａｔｔｅｒｎｉｎｇ  ｏｆ  ｅｎｄｏｔｈｅｌｉａｌ  ｃｅｌｌｓ  ａｎｄ  ｖａｓｃｕｌａｒ  ｎｅｔｗｏｒｋ  ｆｏｒｍａｔｉｏｎ  ｕｓｉｎｇ  ｕｌｔｒａｓｏｕｎｄ  ｓｔａｎｄｉｎｇ  ｗａｖｅ  ｆｉｅｌｄｓ"，  Ｊｏｕｒｎａｌ  ｏｆ  Ａｃｏｕｓｔｉｃａｌ  Ｓｏｃｉｅｔｙ  ｏｆ  Ａｍｅｒｉｃａ，  Ｖｏｌ．  １３４，    Ｎｏ．  ２，    Ｐｔ  ２，  Ａｕｇｕｓｔ  ２０１３，  ｐｐ  １４８３−１４９０
（非特許文献１３）  ＥＲＮＥＳＴ  Ｌ．  ＭＡＤＳＥＮ  ｅｔ  ａｌ．，  "Ｔｉｓｓｕｅ  ｍｉｍｉｃｋｉｎｇ  ｍａｔｅｒｉａｌｓ  ｆｏｒ  ｕｌｔｒｓｏｕｎｄ  ｐｈａｎｔｏｍｓ"，  Ｍｅｄｉｃａｌ  Ｐｈｙｓｉｃｓ，  Ｖｏｌ  ５，  Ｎｏ．  ５，  Ｏｃｔｏｂｅｒ  １９７８，  ｐｐ  ３９１−３９４